(57)【要約】【課題】優れた色再現性を備える画像表示制御装置を提供する。【解決手段】画像表示制御装置は、色液晶ライトバルブ１００と輝度液晶ライトバルブ１０２と輝度液晶ライトバルブ１０２の温度を測定する温度測定手段とを具備する画像表示装置を制御し、高温ＶＴ特性ＬＵＴ２０７と低温ＶＴ特性ＬＵＴ２０８とＶＴ特性補間演算回路２０９とを備える。高温ＶＴ特性ＬＵＴ２０７は、高温時（６５℃）の電圧対透過率特性に基づく輝度制御値Ｍに対する電圧値ＶＴを記憶している。低温ＶＴ特性ＬＵＴ２０８は、低温時（４９℃）の電圧対透過率特性に基づく輝度制御値Ｍに対する電圧値ＶＴを記憶している。ＶＴ特性補間演算回路２０９は、高温ＶＴ特性ＬＵＴ２０７と低温ＶＴ特性ＬＵＴ２０８から得られる電圧値ＶＴを一次補間して、温度測定手段が測定した温度における輝度液晶ライトバルブ１０２に対する電圧値ＶＴを求める。【選択図】図２
2007248598.tif 000002
【特許請求の範囲】
【請求項１】
変調素子を具備する画像表示装置を制御する画像表示制御装置において、
複数の温度における前記変調素子の変調度特性を記憶している変調度特性テーブルと、
前記変調素子の温度に応じた変調度特性を、前記変調度特性テーブルに基づき求める特性補正手段と
を備えることを特徴とする画像表示制御装置。
【請求項２】
前記変調素子は、光学的に直列に複数配置されており、
前記変調度特性テーブルは、前記変調素子のうち２段目以降の所定の変調素子の複数の温度における変調度特性を記憶しており、
前記特性補正手段は、前記所定の変調素子の温度に応じた変調度特性を、前記変調度特性テーブルに基づき求めること
を特徴とする請求項１に記載の画像表示制御装置。
【請求項３】
前記特性補正手段は、前記変調度特性テーブルから得られる複数の温度における変調度特性を補間することで、前記温度測定手段が測定した温度における変調度特性を求めることを特徴とする請求項１または請求項２に記載の画像表示制御装置。
【請求項４】
前記複数の温度は、最大入射光量が続いたときの前記所定の変調素子の温度と、最小入射光量が続いたときの前記所定の変調素子の温度とを含むことを特徴とする請求項１から請求項３のいずれかの項に記載の画像表示制御装置。
【請求項５】
光学的に直列に配置された複数の変調素子と前記所定の変調素子を冷却する冷却手段とを備える画像表示装置を制御する画像表示制御装置において、
前記所定の変調素子の前段までの変調素子の制御値に基づき、前記所定の変調素子に対する入射光量を表す値を算出する制御値算出手段と、
前記制御値算出手段が算出した値と、前記所定の変調素子の温度とに応じて、前記冷却手段の稼動量を決定する冷却器制御手段と
を備えることを特徴とする画像表示制御装置。
【請求項６】
請求項１から請求項５のいずれかの画像表示制御装置に投写光学系を設けて構成したことを特徴とするプロジェクタ。
【請求項７】
光変調素子を具備する画像表示装置を制御する制御方法において、
前記変調素子の温度に応じた変調度特性を、複数の温度における前記所定の変調素子の変調度特性を記憶している変調度特性テーブルに基づき求める過程
を備えることを特徴とする制御方法。
【請求項８】
光学的に直列に配置された複数の変調素子と前記変調素子のうち２段目以降の所定の変調素子を冷却する冷却手段とを備える画像表示装置を制御する制御方法において、
前記所定の変調素子の前段までの変調素子の制御値に基づき、前記所定の変調素子に対する入射光量を表す値を算出する第１の過程と、
前記第１の過程にて算出した入射光量を表す値と、前記所定の変調素子の温度とに応じて、前記冷却手段の稼動量を決定する第２の過程と
を備えることを特徴とする制御方法。
【発明の詳細な説明】
【技術分野】
【０００１】
本発明は、画像表示制御装置、プロジェクタおよびその制御方法にかかわり、特に２変調投写型ＨＤＲ（High Dynamic Range）ディスプレイにおける温度による後段液晶ライトバルブの特性変化の補償制御に関する。
【背景技術】
【０００２】
近年、コンピュータグラフィックスの分野において、ＨＤＲレンダリングの技術が開発され、表示する色の演算を３原色Ｒ（赤）Ｇ（緑）Ｂ（青）の各８ビット（１６７７万色）ではなく、さらに多ビットを用いて高精度な色演算を行い、現実に見た状態に近い画像が生成されるようになってきている。
また、ＨＤＲ表示を行うディスプレイとしても、入射光の３原色を画像データに対応して輝度変調する色変調素子と、ＲＧＢそれぞれの色変調素子から入射した光の全波長領域の輝度を変調する輝度変調素子とを光学的に直列に配置し、スクリーンに投写する２変調系投写型表示装置が開発されている。
【０００３】
色変調素子および輝度変調素子として用いられる液晶パネルの制御値を求める方法としては、入力された映像信号から、輝度液晶パネルの制御値を求める際、入力された映像信号を逆ガンマ補正し、そのＲＧＢ成分における最大値を輝度液晶パネルの制御値として設定し、色液晶パネルの制御値を、逆γ補正された上記ＲＧＢ成分各々の値を輝度液晶パネルの制御値で除算して得た値に比例するように、色液晶パネルの制御値を算出することが行われている（例えば、特許文献１参照）。
【０００４】
また、他の液晶パネルの制御値を求める方法としては、まず、入力された映像信号におけるＲＧＢ各々を正規化し、正規化されたＲＧＢの信号値から輝度信号を演算する。そして、正規化したＲＧＢ成分各々を、上記輝度信号の平方根により除算し、除算結果における最大値を求めてこの値を輝度パネルの制御値とする。ここで、上記除算結果の最大値が予め設定された閾値より大きい場合、この最大値のクリッピング処理を行い、この閾値の値を輝度パネルの制御値として出力する。
【０００５】
次に、上記正規化されたＲＧＢの信号値を、求められた輝度パネルの制御値で除算して求められた結果を、ＲＧＢ各々に対応した色液晶パネルの制御値としている（例えば、特許文献２参照）。
【特許文献１】特開平０６−１６７６９０号公報
【特許文献２】特開２００４−２４２１３６号公報
【発明の開示】
【発明が解決しようとする課題】
【０００６】
しかしながら、特許文献１および特許文献２に示す２変調系投写型表示装置にあっては、前段の変調素子に対する入射光量は一定であるため、一定の風量を送り続けることで、変調素子の温度をほぼ一定に保つことができるが、後段の変調素子に対する入射光量は、前段の変調素子を透過した光であることから、表示する画像により大きく変わる。このため、変調素子の温度も大きく変化し、この温度変化に応じて変調素子の変調度特性が変動するため、表示画像の色再現性が劣化してしまうという問題がある。
【０００７】
本発明は、このような事情に鑑みてなされたもので、その目的は、優れた色再現性を備える画像表示制御装置、プロジェクタおよびその制御方法を提供することにある。
【課題を解決するための手段】
【０００８】
この発明は上述した課題を解決するためになされたもので、本発明の画像表示制御装置は、変調素子を具備する画像表示装置を制御する画像表示制御装置において、複数の温度における前記変調素子の変調度特性を記憶している変調度特性テーブルと、前記変調素子の温度に応じた変調度特性を、前記変調度特性テーブルに基づき求める特性補正手段とを備えることを特徴とする。
【０００９】
また、本発明の制御方法は、変調素子を具備する画像表示装置を制御する制御方法において、前記変調素子の温度に応じた変調度特性を、複数の温度における前記所定の変調素子の変調度特性を記憶している変調度特性テーブルに基づき求める過程を備えることを特徴とする。
【００１０】
これにより、本発明の画像表示制御装置（または制御方法）は、画像表示装置が備える変調素子の温度変動による特性変化にあわせた変調度特性を得ることができるため、変調素子の変調度を精度良く制御して優れた色再現性を得ることができる。
【００１１】
また、本発明の画像制御装置は、前述の画像表示制御装置であって、前記変調素子は、光学的に直列に複数配置されており、前記変調度特性テーブルは、前記変調素子のうち２段目以降の所定の変調素子の複数の温度における変調度特性を記憶しており、前記特性補正手段は、前記所定の変調素子の温度に応じた変調度特性を、前記変調度特性テーブルに基づき求めることを特徴とする。
これにより、表示する画像により入射光量が変わるため、温度変動が大きい２段目以降の変調素子について、温度変動による特性変化にあわせた変調度特性を得ることができるため、変調素子の変調度を精度良く制御して優れた色再現性を得ることができる。
【００１２】
また、本発明の画像制御装置は、前述のいずれかの画像表示制御装置であって、前記複数の温度は、最大入射光量が続いたときの前記所定の変調素子の温度と、最小入射光量が続いたときの前記所定の変調素子の温度とを含むことを特徴とする
これにより、本発明の画像表示制御装置（または制御方法）は、画像表示装置が備える２段目以降の所定の変調素子の温度変動による特性変化にあわせた変調度特性を、多くの変調度特性テーブルを用意することなく精度良く得ることができるため、変調素子の変調度を精度良く制御して優れた色再現性を得ることができる。
【００１３】
また、本発明の画像制御装置は、前述のいずれかの画像表示制御装置であって、前記複数の温度は、最大入射光量が続いたときの前記所定の変調素子の温度と、最小入射光量が続いたときの前記所定の変調素子の温度とを含むことを特徴とする。
これにより、本発明の画像表示制御装置は、画像表示装置が備える２段目以降の所定の変調素子の温度が最高と最低になると考えられる入射光量が最大と最小の範囲内で、温度変動による特性変化にあわせた変調度特性を精度良く得られるため、変調素子の変調度を精度良く制御して優れた色再現性を得ることができる。
【００１４】
また、本発明の画像制御装置は、光学的に直列に配置された複数の変調素子と前記所定の変調素子を冷却する冷却手段とを備える画像表示装置を制御する画像表示制御装置において、前記所定の変調素子の前段までの変調素子の制御値に基づき、前記所定の変調素子に対する入射光量を表す値を算出する制御値算出手段と、前記制御値算出手段が算出した値と、前記所定の変調素子の温度とに応じて、前記冷却手段の稼動量を決定する冷却器制御手段とを備えることを特徴とする。
【００１５】
また、本発明の制御方法は、光学的に直列に配置された複数の変調素子と前記変調素子のうち２段目以降の所定の変調素子を冷却する冷却手段とを備える画像表示装置を制御する制御方法において、前記所定の変調素子の前段までの変調素子の制御値に基づき、前記所定の変調素子に対する入射光量を表す値を算出する第１の過程と、前記第１の過程にて算出した入射光量を表す値と、前記所定の変調素子の温度とに応じて、前記冷却手段の稼動量を決定する第２の過程とを備えることを特徴とする。
【００１６】
これにより、本発明の画像表示制御装置（または制御方法）は、画像表示装置が備える２段目以降の所定の変調素子の温度変動を抑えることができるため、温度変動による変調素子の特性変化が抑えられて優れた色再現性を得ることができる。
【００１７】
また、本発明のプロジェクタは、前述した画像表示制御装置のいずれかに投写光学系を設けて構成したことを特徴とする。
【発明を実施するための最良の形態】
【００１８】
以下、図面を参照して、本発明の実施の形態について説明する。図１は、この発明の一実施形態による画像表示制御装置により制御される画像表示装置の概略構成を示すブロック図である。
１００は、各画素における透過率を制御することにより色変調を行う変調素子である、色液晶ライトバルブである。後述するように、色液晶ライトバルブ１００は、Ｒ成分、Ｇ成分、Ｂ成分それぞれを変調するために計３個を具備しているが、ここでは簡略化して、一つだけ図示している。１０１は、色液晶ライトバルブ１００を透過した光を輝度液晶ライトバルブ１０２へ導くリレーレンズである。輝度液晶ライトバルブ１０２は、色液晶ライトバルブ１００と同様にして輝度変調を行うための変調素子である。１０３は、輝度液晶ライトバルブ１０２に設置され、輝度液晶ライトバルブ１０２の温度Ｖを測定する温度測定手段である。１０４は、輝度液晶ライトバルブ１０２を冷却するための冷却ファン（冷却手段）である。１０５は、輝度液晶ライトバルブ１０２を通過した光をスクリーンに投写する投写レンズである。
【００１９】
図２は、本実施形態による画像表示制御装置の概略構成を示すブロック図である。
２００は、入力された映像信号Ｒｉｎ、Ｇｉｎ、Ｂｉｎに基づき、色液晶ライトバルブ１００および輝度液晶ライトバルブ１０２の各画素の透過率を制御する色制御値Ｒ、Ｇ、Ｂおよび輝度制御値Ｍを出力する２変調制御値演算回路である。
２０１は、垂直同期信号（ＶＳＹＮＣ）を参照して、フレーム毎に全画素の色制御値Ｒ、Ｇ、Ｂの平均値Ｐを求め、（１）式に示すように、この平均値Ｐに、前回の算出値Ａｎ−１と１より小さい係数ｋの積を加えた値Ａｎを輝度液晶ライトバルブ１０２への入射光量を表す値Ａｎとして出力する制御値算出回路（制御値算出手段）である。
Ａｎ＝Ｐ＋ｋ・Ａｎ−１・・・（１）
ただし、ｋは、１＞ｋを満たす正数
【００２０】
２０２は、制御値算出回路２０１の出力した入射光量を表す値Ａと温度測定手段が測定した温度Ｖとに基づき、図３に例として示すようなルックアップテーブルを参照して、冷却ファン１０４の駆動電圧を決定する駆動電圧決定ＬＵＴ（Look Up Table；ルックアップテーブル）（冷却器制御手段）である。
２０３は、駆動電圧決定ＬＵＴにて決定した駆動電圧を冷却ファン１０４に加える冷却ファン駆動回路である。
【００２１】
２０４は、ＲＧＢ成分各々に対して一つずつ設置されており、２変調制御値演算回路２００が生成した色制御値Ｒ、Ｇ、Ｂのいずれかの数値と、各色液晶ライトバルブ１００の駆動を行う電圧値ＶＴＣとの対応を示すルックアップテーブルを有しており、入力される色制御値Ｒ、Ｇ、Ｂに対応した電圧値ＶＴＣをこのルックアップテーブルから読み出して出力することにより、電圧値ＶＴＣの生成を行う。これらのルックアップテーブルは、入力される色制御値Ｒ、Ｇ、Ｂに対する各色液晶ライトバルブ１００の透過率特性を、入力される色制御値Ｒ、Ｇ、Ｂの数値に対応して、各色液晶ライトバルブ１００の透過率が、例えばγ２．２乗の透過率特性となるよう補正された電圧値ＶＴＣが記憶されている。つまり、これらのルックアップテーブルには、色液晶ライトバルブ１００の変調度特性である電圧対透過率特性（ＶＴ特性）にγ２．２乗のガンマ補正を加味した値が記憶されている。
【００２２】
２０５は、色液晶ライトバルブ１００と輝度液晶ライトバルブ１０２の制御タイミングを一致させるために、入力されたＲＧＢ成分の電圧値ＶＴＣを所定の時間経過後に出力する遅延回路である。
２０６は、Ｄ／Ａ変換器を内蔵しており、ＶＴ特性ＬＵＴ２０４が決定した電圧値ＶＴＣを、アナログの電圧値に変換し、色液晶ライトバルブ１００へ出力させて、色液晶ライトバルブ１００を駆動させ、色液晶ライトバルブ１００に入射される光に対する色変調の処理を行わせるドライバ回路（Ｄｅｃ  Ｄｒｉｖｅｒ）である。
【００２３】
２０７は、２変調制御値演算回路２００が生成した輝度制御値Ｍの数値と、輝度液晶ライトバルブ１０２の駆動を行う電圧値ＶＴとの対応を記憶している高温ＶＴ特性ＬＵＴ（変調度特性テーブル）である。この高温ＶＴ特性ＬＵＴ２０７には、個々の輝度液晶ライトバルブ１０２の製品毎に異なる特性を測定した結果に基づき、入力される輝度制御値Ｍに対する輝度液晶ライトバルブ１０２の透過率の特性を、最大入射光量が続いたときの温度、例えば６５℃のときに、γ１．０乗以下の特性、例えばγ０．８乗の特性となるよう補正された電圧値ＶＴが記憶されている。つまり、この高温ＶＴ特性ＬＵＴ２０７には、輝度液晶ライトバルブ１０２の変調度特性である電圧対透過率特性にγ１．０乗以下のガンマ補正を加味した値が記憶されている。
【００２４】
２０８は、２変調制御値演算回路２００が生成した輝度制御値Ｍの数値と、輝度液晶ライトバルブ１０２の駆動を行う電圧値ＶＴとの対応を記憶している低温ＶＴ特性ＬＵＴ（変調度特性テーブル）である。この低温ＶＴ特性ＬＵＴ２０８には、個々の輝度液晶ライトバルブ１０２の製品毎に異なる特性を測定した結果に基づき、入力される輝度制御値Ｍに対する輝度液晶ライトバルブ１０２の透過率の特性を、最小入射光量が続いたときの温度、例えば４９℃のときに、γ１．０乗以下の特性、例えばγ０．８乗の特性となるよう補正された電圧値ＶＴが記憶されている。つまり、この低温ＶＴ特性ＬＵＴ２０８には、輝度液晶ライトバルブ１０２の変調度特性である電圧対透過率特性にγ１．０乗以下のガンマ補正を加味した値が記憶されている。
【００２５】
また、この最大入射光量が続いたときの温度および最小入射光量が続いたときの温度は、画像表示装置の機種毎に異なる値になると考えられるため、実装置にて測定して決めることが望ましい。
【００２６】
２０９は、高温ＶＴ特性ＬＵＴ２０７と低温ＶＴ特性ＬＵＴ２０８とからそれぞれ得られる電圧値ＶＴを一次補間して、温度測定手段１０３が測定した輝度液晶ライトバルブ温度Ｖにおける電圧値ＶＴを算出するＶＴ特性補間演算回路（特性補正手段）２０９である。
２１０は、Ｄ／Ａ変換器を内蔵しており、ＶＴ特性補間演算回路２０９が算出した電圧値ＶＴを、アナログの電圧値に変換し、輝度液晶ライトバルブ１０２へ出力させて、輝度液晶ライトバルブ１０２を駆動させ、色液晶ライトバルブ１０２に入射される光に対する輝度変調の処理を行わせるドライバ回路（Ｄｅｃ  Ｄｒｉｖｅｒ）である。
【００２７】
次に、この画像表示制御装置の動作を説明する。まず、冷却ファン１０４の制御について説明する。
各画素のＲＧＢ成分の値が、映像信号Ｒｉｎ、Ｇｉｎ、Ｂｉｎとして、２変調制御値演算回路２００に入力される。２変調制御値演算回路２００は、映像信号Ｒｉｎ、Ｇｉｎ、Ｂｉｎを受けると、これに基づきＲＧＢ各成分の色液晶ライトバルブ１００を制御する色制御値Ｒ、Ｇ、Ｂを制御値算出回路２０１へ出力する。
なお、このとき、後述する色液晶ライトバルブ１００および輝度液晶ライトバルブ１０２の制御のために、色制御値Ｒ、Ｇ、ＢのＶＴ特性ＬＵＴ２０４への出力と、輝度制御値Ｍの高温ＶＴ特性ＬＵＴ２０７および低温ＶＴ特性ＬＵＴ２０８への出力も行う。
【００２８】
制御値算出回路２０１は、色制御値Ｒ、Ｇ、Ｂを受けると、垂直同期信号ＶＳＹＮＣを参照して、色制御値Ｒ、Ｇ、Ｂの１フレーム分の平均値Ｐを求め、（１）式により、入射光量を表す値Ａｎを算出し、駆動電圧決定ＬＵＴ２０２に出力する。駆動電圧決定ＬＵＴ２０２は、入射光量を表す値Ａｎを受けると、温度測定手段１０３から輝度液晶ライトバルブ温度Ｖを取得する。次に、駆動電圧決定ＬＵＴ２０２は、ルックアップテーブルを参照して、受けた入射光量を表す値Ａｎと輝度液晶ライトバルブ温度Ｖとに対応する駆動電圧値を読み出して、冷却ファン駆動回路２０３へ出力する。冷却ファン駆動回路２０３は、駆動電圧値を受けると、該値の電圧を冷却ファン１０４に駆動電圧として加える。冷却ファン１０４は、該駆動電圧を与えられると、ファンを回転させて冷却風を輝度液晶ライトバルブ１０２に送る。これにより、輝度液晶ライトバルブ１０２は冷却される。
【００２９】
このように、制御値算出回路２０１では、（１）式は色制御値が大きな値、つまり、輝度液晶ライトバルブ１０２に入射する光量が多ければ、その出力は大きな値となる。このため、駆動電圧決定ＬＵＴ２０２では、入射光により輝度液晶ライトバルブ１０２が温められて輝度液晶ライトバルブ温度Ｖが高くなる前に、制御値算出回路２０１からの出力が大きくなり、冷却ファン１０４の駆動電圧も大きくなる。これにより、冷却ファン１０４の送風量が増え、輝度液晶ライトバルブ１０２が冷却される。
【００３０】
なお、本実施形態において、色液晶ライトバルブ１００を１段目、輝度液晶ライトバルブ１０２を２段目の変調素子として説明したが、輝度液晶ライトバルブ１０２を１段目、色液晶ライトバルブ１００を２段目としてもよい。ただし、この場合、温度測定手段１０３は色液晶ライトバルブ１００の温度を測定し、冷却ファン１０４は色液晶ライトバルブ１００を冷却し、制御値算出回路２０１は輝度制御値Ｍに基づき入射光量を表す値を算出する。
【００３１】
また、本実施形態において、変調素子として、色液晶ライトバルブ１００と輝度液晶ライトバルブ１０２の２段備えるとして説明したが、変調素子を３段以上備えている画像表示装置を制御してもよい。この場合、２段目だけでなく、３段目以降の変調素子を冷却する冷却ファン１０４を設けて、これを２段目までの制御値に基づき制御してもよい。
【００３２】
また、本実施形態における制御値算出回路２０１において、入射光量を表す値Ａｎを（１）式により算出するとして説明したが、（２）式により算出してもよいし、直近の所定枚数のフレームの全画素の色制御値Ｒ、Ｇ、Ｂの平均値や合計値であってもよい。
Ａｎ＝αＰ＋（１−α）Ａｎ−１・・・（２）
ただし、αは、１＞αを満たす正数
この場合、駆動電圧決定ＬＵＴ２０２が備えるルックアップテーブルに記憶する値は、入射光量を表す値Ａｎの算出方法に応じて、記憶内容を変更する必要がある。
【００３３】
次に、色液晶ライトバルブ１００および輝度液晶ライトバルブ１０２の制御について説明する。
冷却ファン１０４の制御について説明したときと同様に、各画素のＲＧＢ成分の値が、映像信号Ｒｉｎ、Ｇｉｎ、Ｂｉｎとして、２変調制御値演算回路２００に入力される。２変調制御値演算回路２００は、映像信号Ｒｉｎ、Ｇｉｎ、Ｂｉｎを受けると、これに基づきＲＧＢ各成分の色液晶ライトバルブ１００を制御する色制御値Ｒ、Ｇ、ＢをＶＴ特性ＬＵＴ２０４へ出力し、輝度制御値Ｍを高温ＶＴ特性ＬＵＴ２０７および低温ＶＴ特性ＬＵＴ２０８へ出力する。
なお、このとき、前述した冷却ファン１０４の制御のために、色制御値Ｒ、Ｇ、Ｂの制御値算出回路２０１への出力も行う。
【００３４】
色制御値Ｒ、Ｇ、Ｂのいずれかを受けたそれぞれのＶＴ特性ＬＵＴ２０４は、各色制御値Ｒ、Ｇ、Ｂに対応した電圧値ＶＴＣをルックアップテーブルから読み出して遅延回路２０５へ出力する。
遅延回路２０５は、ＲＧＢ成分各々の電圧値ＶＴＣを受けると、所定の時間経過後にＲＧＢ成分各々の電圧値ＶＴＣをドライバ回路２０６へ出力する。ドライバ回路２０６は、ＲＧＢ成分各々の電圧値ＶＴＣを受けると、該電圧値の電圧で、ＲＧＢ成分各々の色液晶ライトバルブ１００の該当画素の透過率を制御する。
【００３５】
一方、高温ＶＴ特性ＬＵＴ２０７と低温ＶＴ特性ＬＵＴ２０８は、２変調制御値演算回路２００が出力した輝度制御値Ｍを受けて、該輝度制御値Ｍに対応する電圧値ＶＴを、それぞれＶＴ特性補間演算回路２０９に出力する。ＶＴ特性補間演算回路２０９は、高温ＶＴ特性ＬＵＴ２０７と低温ＶＴ特性ＬＵＴ２０８から受けた電圧値ＶＴを一次補間して、温度測定手段１０３から取得した輝度液晶ライトバルブ温度Ｖにおける電圧値ＶＴを算出する。ここでは、高温ＶＴ特性ＬＵＴ２０７は６５℃、低温ＶＴ特性ＬＵＴ２０８は４９℃における電圧対透過率特性に基づいているので、それぞれの出力した電圧値が「３．２」と「２．８」であり、輝度液晶ライトバルブ温度Ｖが「５３」℃であったとすると、ＶＴ特性補間演算回路２０９が出力する電圧値ＶＴ＝２．８＋（３．２−２．８）×（５３−４９）／（６５−４９）＝２．９となる。ドライバ回路２１０は、この電圧値ＶＴ「２．９」を受けると、該電圧値の電圧で、輝度液晶ライトバルブ１０２の該当画素の透過率を制御する。
【００３６】
なお、本実施形態において、冷却ファン１０４を制御する動作と色液晶ライトバルブ１００および輝度液晶ライトバルブ１０２を制御する動作とを別々に説明したが、冷却ファン１０４を制御することにより輝度液晶ライトバルブ１０２が到達する温度を、例えば、高温ＶＴ特性ＬＵＴ２０７に記憶する値を生成する際の温度条件とすると、電圧値ＶＴを精度良く求めることができる。また、該温度を温度条件とするＶＴ特性ＬＵＴと、最大入射光量のときに冷却ファン１０４が動作しない場合の温度を高温ＶＴ特性ＬＵＴ２０７の温度条件としてもよい。
【００３７】
また、本実施形態において、色液晶ライトバルブ１００を１段目、輝度液晶ライトバルブ１０２を２段目の変調素子として説明したが、輝度液晶ライトバルブ１０２を１段目、色液晶ライトバルブ１００を２段目としてもよい。ただし、高温ＶＴ特性ＬＵＴ２０７と低温ＶＴ特性ＬＵＴ２０８とＶＴ特性補間演算回路２０９は、輝度液晶ライトバルブ１０２ではなく色液晶ライトバルブ１００の制御に用いられる。
【００３８】
また、本実施形態において、変調素子として、色液晶ライトバルブ１００と輝度液晶ライトバルブ１０２の２段備えるとして説明したが、変調素子を３段以上備えている画像表示装置を制御してもよい。ただし、３段目以降の変調素子の変調度特性を、複数の温度における該変調素子の変調度特性を補間して算出してもよい。
【００３９】
また、本実施形態における変調素子として、色液晶ライトバルブ１００および輝度液晶ライトバルブ１０２には液晶パネルを用いるとして説明したが、ＤＭＤ（Digital Micromirror Device）などの他の変調素子を用いても良い。ライトバルブに液晶パネルを用いた場合、変調度は透過率であらわされるが、ＤＭＤを用いた場合は、その変調度は反射率で表される。
また、本実施形態におけるＶＴ特性補間演算回路２０９は、高温ＶＴ特性ＬＵＴ２０７（６５℃）と低温ＶＴ特性ＬＵＴ２０８（４９℃）の２つの温度条件における輝度制御値Ｍと電圧値ＶＴとの対応から一次補間により電圧値ＶＴを算出するとしたが、３つ以上の複数の温度条件における輝度制御値Ｍと電圧値ＶＴとの対応から算出するとしてもよい。また、補間には一次補間ではなく、他の補間方法を用いてもよい、例えば、３つ以上の温度条件を用いるのであれば、２次以上の高次の補間を用いてもよい。また、補間ではなく、温度条件が近い輝度制御値Ｍと電圧値ＶＴとの対応を選択して用いるとしてもよい。
【００４０】
次に、画像表示制御装置が用いられる表示装置の一例として、投写型表示装置の構成を簡単に説明する。図４は、投写型表示装置、すなわちプロジェクタの構成例を示すものである。この投写型表示装置は、光源５１０と、光源５１０から入射した光の輝度分布を均一化する均一照明手段５２０と、均一照明手段５２０から入射される入射光のうちの３原色（Ｒ，Ｇ，Ｂ）の輝度をそれぞれ変調する色変調部５３０と、色変調部５３０から入射した光をリレーするリレーレンズ５４０と、リレーレンズ５４０から入射した光の全波長領域の輝度を変調する液晶輝度パネル５５０と、液晶輝度パネル５５０から入射した光をスクリーン（不図示）に投写する投写レンズ５６０とで構成されている。
【００４１】
光源５１０は、高圧水銀ランプ等のランプ５１１と、ランプ５１１からの出射光を反射するリフレクタ５１２とで構成されている。光源５１０から出射した光束は第１フライアイレンズ５２１、第２フライアイレンズ５２２等が順次設置された均一照明手段５２０で均一化される。
【００４２】
均一照明手段５２０を出射した光は色変調部５３０に入射し、３原色（Ｒ，Ｇ，Ｂ）に分離され、それぞれの色成分を、図２に示す色変調制御系が生成する色制御値ＶＴＣを、ドライバ回路２０６により電圧値に変換し、この制御信号により変調する液晶色パネル５３１（色成分Ｒに対応する色液晶ライトバルブ１００）、５３２（色成分Ｇに対応する色液晶ライトバルブ１００）、５３３（色成分Ｂに対応する色液晶ライトバルブ１００）によって変調を受けて出射される。
【００４３】
変調された３原色光（Ｒ，Ｇ，Ｂ）はクロスダイクロイックプリズム５３４によって合成されリレーレンズ５４０に出射する。ここで、液晶色パネル５３１はＲ成分用、液晶色パネル５３２はＧ成分用、液晶色パネル５３３はＢ成分用の光変調素子をそれぞれ形成し、ダイクロイックミラー５３５はＲ成分の光を透過させ、ダイクロイックミラー５３６はＢ成分の光を透過させる。また、液晶色パネル５３１に対しては反射ミラー５３７が設けられ、液晶色パネル５３３に対しては、リレーレンズ５３８と２個の反射ミラー５３９ａおよび５３９ｂが設けられている。
【００４４】
リレーレンズ５４０を出射された変調光はもう一方の液晶輝度パネル５５０（輝度変調用の輝度液晶ライトバルブ１０２）に入射し、第二の変調を受けて出射される。液晶輝度パネル５５０では、入射した光の全波長領域の輝度を輝度制御値ＶＴにより変調し、その変調光は投写レンズ５６０へ出射され、投写レンズ５６０によって図示しないスクリーンに投影される。
この様に投影画像は光学的に直列に配置されたそれぞれの光変調素子（液晶輝度パネル５５０および液晶色パネル５３１、５３２、５３３）が画素単位で変調を行うことで形成される。
【００４５】
また、図２における２変調制御値演算回路２００、制御値算出回路２０１、駆動電圧決定ＬＵＴ２０２、ＶＴ特性ＬＵＴ２０４、高温ＶＴ特性ＬＵＴ２０７、低温ＶＴ特性ＬＵＴ２０８、ＶＴ特性補間演算回路２０９の機能を実現するためのプログラムをコンピュータ読み取り可能な記録媒体に記録して、この記録媒体に記録されたプログラムをコンピュータシステムに読み込ませ、実行することにより画像表示装置の制御を行ってもよい。なお、ここでいう「コンピュータシステム」とは、ＯＳや周辺機器等のハードウェアを含むものとする。
【００４６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４７】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４８】
本発明は、２変調系投写型表示装置の変調素子を制御する画像表示制御装置であって、温度変動により特性が変化する液晶パネルを変調素子として用いる画像表示制御装置に用いて好適であるが、これに限られるものではない。
【図面の簡単な説明】
【００４９】
【図１】この発明の一実施形態による画像表示制御装置が制御する画像表示装置の概略構成を示すブロック図である。
【図２】同実施形態による画像表示制御装置の構成を示すブロック図である。
【図３】同実施形態における駆動電圧決定ＬＵＴ２０２が備えるルックアップテーブルの例を示す図である。
【図４】同実施形態による２変調投写型ＨＤＲディスプレイ（プロジェクタ）の構成の例を示すブロック図である。
【符号の説明】
【００５０】
１００…色液晶ライトバルブ
１０１…リレーレンズ
１０２…輝度液晶ライトバルブ
１０３…温度測定手段
１０４…冷却ファン
１０５…投写レンズ
２００…２変調制御値演算回路
２０１…制御値算出回路
２０２…駆動電圧決定ＬＵＴ
２０３…冷却ファン駆動回路
２０４…ＶＴ特性ＬＵＴ
２０５…遅延回路
２０６…Ｄｅｃ  Ｄｒｉｖｅｒ（ドライバ回路）
２０７…高温ＶＴ特性ＬＵＴ
２０８…低温ＶＴ特性ＬＵＴ
２０９…ＶＴ特性補間演算回路
２１０…Ｄｅｃ  Ｄｒｉｖｅｒ（ドライバ回路）
５１０…光源
５１１…ランプ
５１２…リフレクタ
５２０…均一照明手段
５２１…第１フライアイレンズ
５２２…第２フライアイレンズ
５３０…色変調部
５３１、５３２、５３３…液晶色パネル（液晶ライトバルブ１００）
５３４…クロスダイクロイックプリズム
５３５、５３６…ダイクロイックミラー
５３７…反射ミラー
５３８…リレーレンズ
５３９ａ、５３９ｂ…反射ミラー
５４０…リレーレンズ
５５０…液晶輝度パネル（輝度液晶ライトバルブ１０２）
５６０…投写レンズ
【図１】
2007248598.tif 000003
【図２】
2007248598.tif 000004
【図３】
2007248598.tif 000005
【図４】
2007248598.tif 000006